(57)【特許請求の範囲】
【請求項１】
基端に握り柄を固着した針外し杆の先端部にガイド孔を形成するとともに、このガイド孔に釣糸挿通用の開口部を形成してなる釣針外し具において、
前記握り柄に互いに相対する一対のローラを設け、前記一対のローラ間で釣糸を挟持するとともに、挟持した釣糸を針外し杆側から握り柄側に向けて搬送するようにしたことを特徴とする釣針外し具。
【請求項２】
一対のローラの一方を揺動自在なブラケットを介して握り柄に取り付けるとともに、前記ローラの一方を他方に押圧する向きにブラケットを付勢する弾性部材を設けた請求項１に記載の釣針外し具。
【発明の詳細な説明】
【０００１】
【発明の属する技術分野】
本発明は、魚釣りの際に魚が呑み込んだ釣針を外す釣針外し具に関する。
【０００２】
【従来の技術】
魚釣りで魚を釣り上げた際、釣針が魚の口の浅いところに、釣針の軸を手で掴める状態に掛かっている場合、この釣針は容易に外せる。しかし、魚が釣針を呑み込んで、口の奥深くに針掛かりしている場合は、釣針を外すのが極めて困難である。そこで、このような場合には釣針外し具が用いられる。
【０００３】
図８は、従来の極めて一般的な釣針外し具を示している。この釣針外し具８０は、針外し杆８１と、この針外し杆８１の基端に固着された握り柄８２とから構成され、針外し杆８１の先端部にはガイド孔８３が形成されるとともに、このガイド孔８３の側方には釣糸挿通用の開口部８４が形成されている。
【０００４】
この釣針外し具８０は例えば以下のように使用する。すなわち、図９のように左手でハリスＬを掴んで魚体Ｆを吊り下げるとともに、右手で握り柄８２を握って釣針外し具８０を保持しつつ、ガイド孔８３にハリスＬを通して針外し杆８１の先端部を魚の口の中に挿入してゆく。そして、図１０（ａ）のようにガイド孔８３が釣針Ｈの湾曲部と係合すると、握り柄８２を握っている右手でハリスＬを押さえてハリスＬの張りが緩まないようにしたのち、左手で魚体Ｆを掴み、釣針Ｈの湾曲部を魚の口の奥に向かって（図中の矢印ｄ方向に）押す。これにより、釣針Ｈが魚体Ｆから外れる。
【０００５】
【発明が解決しようとする課題】
ところで、前記釣針外し具８０で釣針Ｈを押して魚体Ｆから外す際には、釣針外し具８０と魚体Ｆとを相対的に移動させなければならないため、一方の手で釣針外し具８０を、他方の手で魚体Ｆを、それぞれ保持せざるを得ない。したがって、ハリスＬは釣針外し具８０を保持した方の手で、例えば握り柄８２に押さえ付けるなどして、その張りが緩まないようにしなければならなかった。しかし、握り柄８２を握りながら同時にハリスＬを押さえる動作は極めて困難であり、かつ、ハリスＬは水で濡れていて滑りやすいため、とかくハリスＬが緩みがちであった。
【０００６】
因みに、ハリスＬが緩んだ状態で釣針Ｈを押すと、図１０（ｂ）のように釣針Ｈの軸の部分を押してしまって釣針Ｈがかえって魚体Ｆに食い込むことになったり、図１０（ｃ）のようにハリスＬのみを魚の口の奥に向かって押し込む結果になったりして、釣針Ｈを外すことができなかった。
【０００７】
本発明は以上のような問題点に鑑みてなされたものであって、魚が呑み込んだ釣針を極めて容易かつ確実に魚体から外すことができる釣針外し具の提供を目的とするものである。
【０００８】
【課題を解決するための手段】
前記目的を達成するため、本発明は、基端に握り柄を固着した針外し杆の先端部にガイド孔を形成するとともに、このガイド孔に釣糸挿通用の開口部を形成してなる釣針外し具において、前記握り柄に互いに相対する一対のローラを設け、前記一対のローラ間で釣糸を挟持するとともに、挟持した釣糸を針外し杆側から握り柄側に向けて搬送するようにしたものである。
【０００９】
また、前記において、一対のローラの一方を揺動自在なブラケットを介して握り柄に取り付けるとともに、前記ローラの一方を他方に押圧する向きにブラケットを付勢する弾性部材を設けたものである。
【００１０】
【発明の実施の形態】
以下、本発明の一実施形態に係る釣針外し具を図面に基づいて説明する。
図１〜図７に示すこの実施形態の釣針外し具１は、針外し杆２と、この針外し杆２の基端に固着されたピストル型の握り柄３とを備えて構成されている。図３に示すように、針外し杆２のやや偏平な先端部には略三角形状のガイド孔４が形成されるとともに、このガイド孔４の側方には釣糸挿通用の開口部５が形成されている。なお、図２からわかるように、針外し杆２は、開口部５の前後の部分が若干上下に食い違った形状になっていて、いったんガイド孔４に通した釣糸が開口部５から抜け出てしまいにくいようになっている。
【００１１】
握り柄３の先端近傍には、互いに相対する一対のローラ６，７が設けられている。ローラ６は平面視コ字状のブラケット８（図３参照）の先端近傍に回動自在に枢支され、他方、ローラ７はその一部のみが握り柄３の上面に露出する状態に握り柄３の内部に回動自在に枢支されている。この実施形態では、ローラ６，７はともにゴムで形成されている。なお、ローラ６，７の少なくとも一方は、例えばゴムや軟質合成樹脂のような摩擦が大きく滑りにくい材質で形成するのが望ましい。
【００１２】
ブラケット８の基端側は、図６に示すように、略Ｕ字状に形成されかつその両端部が内向きに折れ曲がった押さえ金具９によって握り柄３に取り付けられている。すなわち、押さえ金具９の両端部が、握り柄３の外側からブラケット８の両側板部を貫通して握り柄３に差し込まれていて、これによりブラケット８及び押さえ金具９は、押さえ金具９の両端部を軸として起伏揺動自在に握り柄３に枢支されている。
【００１３】
また、握り柄３には、上方で広がる側面視三角形状のバネ収容孔１０が形成されるとともに、このバネ収容孔１０の内部に、一端がバネ収容孔１０の下端部で握り柄３に掛止され、他端が押さえ金具９に掛止された引張型のコイルバネ１１が収容されている。そして、図１〜図３のように押さえ金具９を前方に倒すと、コイルバネ１１の弾性により下向きに引っ張られる押さえ金具９がブラケット８を押し下げ、ブラケット８はローラ６がローラ７に押圧される向きに付勢されるようになっている。
【００１４】
また、ブラケット８基端部の両側には揺動操作用の突起１２，１２が突設されており、図５及び図６のように押さえ金具９を後方に起こすと、押さえ金具９が前記突起１２，１２を後向きに押すのでブラケット８はその先端部が起き上がる向きに揺動し、ローラ６がローラ７から浮き上がるようになっている。さらに、この状態ではコイルバネ１１の上端が、コイルバネ１１の下端と押さえ金具９の枢支点とを結ぶ直線よりも後方に位置するので、コイルバネ１１の弾性により押さえ金具９及びブラケット８は起きた状態を保つようになっている。
【００１５】
なお、図４に示すようにローラ７前方の握り柄３の上面には、ガイド孔４からの釣糸をローラ６とローラ７との間に案内して、釣糸が両ローラから外れるのを防止するための案内用の溝１３が形成されている。また、ローラ７よりも後方の握り柄３の一方の側面には釣糸挿通用の溝１４が形成されており、この溝１４に釣糸を通すことで、握り柄３を握った手と握り柄３との間に釣糸が挟まれて釣糸が搬送できなくなるのを防止できるようになっている。さらに、ブラケット８には、溝１４に挿通した釣糸が溝１４から出るを防止するための下向きの突部１５（図１，図５参照）が形成されている。
【００１６】
また、１６は針外し杆２と平行に設けられた補助針外し杆であり、釣針が魚の口の浅いところに釣針の軸が露出した状態に掛かっている場合は、針外し杆２の基部と補助針外し杆１６との隙間に釣針の軸を挟んで捻ることで、この釣針を外せるようになっている。
【００１７】
次いで、この釣針外し具１の使用態様を説明する。釣り上げた魚が針を呑み込んでいた場合には、左手で魚体を保持するとともに、右手で釣針外し具１の握り柄３を握り、右手親指で押さえ金具９を起こしてローラ６をローラ７から浮き上がらせる。そして、魚体からのハリス（釣糸）Ｌに握り柄３をあてがい、図５のように、ハリスＬが溝１４内に入るとともにローラ６とローラ７との間に位置するようにして、右手親指で押さえ金具９を前方に倒す。これにより、ローラ６がローラ７に押圧され、ハリスＬはローラ６とローラ７との間に挟持される。
【００１８】
次いで、釣針外し具１を持った右手と魚体を持った左手とを、両手の間のハリスＬが僅かに引っ張られるようにしながら適宜に動かすことにより、ハリスＬを開口部５を通じてガイド孔４内に入れる。
【００１９】
そして、図７のように釣針外し具１の柄３を持った右手の親指でローラ６を前方に押すようにして矢印ｒ方向に回転させる。これにより、ローラ６と圧接しているローラ７はローラ６と反対方向に回転し、ハリスＬはローラ６及びローラ７との摩擦によって針外し杆２側から握り柄３側に向けて（すなわち図中の矢印ｅ方向に）搬送される。
【００２０】
ハリスＬの搬送に伴って、釣針外し具１の針外し杆２の先端部が魚の口の中に挿入されてゆき、前記図１０（ａ）と同様にガイド孔４が釣針Ｈの湾曲部と係合するとハリスＬがピンと張ってローラ６の回転が重くなるので、ここで回転させるのをやめ、右手親指でローラ６を下向きに押さえてローラ６の逆転及びローラ６，７とハリスＬとの間のスリップを防止しながら、針外し杆２によって釣針Ｈの湾曲部を魚の口の奥に向かって押す。
【００２１】
これにより、釣針Ｈが魚体Ｆから外れ、図１に示したように針外し杆２の先端部に支持された状態となるので、右手親指でローラ６を押さえたまま、針外し杆２を魚の口から引き抜く。そして、右手親指で押さえ金具９を起こしてローラ６を浮き上がらせ、ハリスＬを釣針外し具１から外す。
【００２２】
なお、針外し杆２の先端部は、図１に示した屈曲部２ａと屈曲部２ｂとでそれぞれ反対方向に屈曲した略く字状に形成されており、前記のように釣針Ｈが針外し杆２の先端部に支持された状態では、釣針Ｈの針先が屈曲部２ｂの陰にかくれるので、針外し杆２を引き抜く際に再度魚の口の中に針掛かりすることはない。また、この状態では屈曲部２ａがハリスＬに接近しているので、ハリスＬが魚の口の中の肉で押された場合にも、釣針Ｈが揺動して針先が針外し杆２から浮き上がることは防止される。
【００２３】
以上説明したように、この釣針外し具１によれば、一方の手で魚体を保持するとともに、他方の手で釣針外し具１の握り柄３を握りつつ指でローラ６を回転させることにより、針外し杆２の先端部を魚の口の中に挿入することができ、かつ、そのままハリスの緩みを防止しながら釣針を外す動作ができるので、従来の釣針外し具のように握り柄を握った手でハリスを押さえるような困難な動作が必要なく、しかも押さえているハリスが滑ってその張りが緩んでしまうこともなく、魚が呑み込んだ釣針を極めて容易かつ確実に魚体から外すことが可能である。
【００２４】
また、ハリスをローラ６，７間で挟んで搬送するので、例えばドラム状のものにハリスを巻き取ることで緩みを防止するような場合と異なり、ハリスを傷めたり、ハリスに撚りがかかったりする危険がなく、ハリスがワイヤー製の場合にも釣針外し具１を用いることができる。
【００２５】
なお、ローラ６を下向きに押さえながら回転させることでローラ６，７とハリスとの間のスリップを防止できるので、コイルバネ１１は極端に強いものでなくてもよい。
【００２６】
また、ローラ６，７の材質、針外し杆２，ガイド孔４，握り柄３の形状等は前記実施形態に限定されることなく任意であり、ローラ６，７の周面にスリップ防止用の凹凸を形成することも考えられる。さらに、一方のローラは必ずしも揺動自在なブラケットに枢支しなくてもよく、例えばローラの枢支軸の両端部を長孔に挿入して上下に摺動自在にしたような実施形態も考えられる。
【００２７】
【発明の効果】
以上説明したように、本発明に係る釣針外し具によれば、一対のローラ間に釣糸を挟持し、一方の手で魚体を保持するとともに、他方の手で釣針外し具の握り柄を握りつつ指でローラを回転させることにより、釣糸を針外し杆側から握り柄側に向けて搬送し、針外し杆の先端部を魚の口の中に挿入することができ、かつ、そのまま釣糸の緩みを防止しながら釣針を外すことができるので、握り柄を握った手で釣糸を押さえるような困難な動作が必要なく、しかも押さえている釣糸が滑ってその張りが緩んでしまうこともなく、魚が呑み込んだ釣針を極めて容易かつ確実に魚体から外すことが可能である。また、この釣針外し具は釣糸をローラで搬送するので、釣糸を傷めることがなく、種々の太さ及び材質の釣糸に用いることができる。
【図面の簡単な説明】
【図１】本発明の一実施形態に係る釣針外し具の右側面図である。
【図２】釣針外し具の左側面図である。
【図３】釣針外し具の平面図である。
【図４】図１における矢印Ａ方向から見た釣針外し具の要部正面図である。
【図５】ブラケット及び押さえ金具を起こした状態の釣針外し具の右側面図である。
【図６】図５におけるＢ−Ｂ線概略断面図である。
【図７】図１の釣針外し具の使用状態を説明する説明図である。
【図８】従来の釣針外し具の側面図である。
【図９】図８の釣針外し具の使用状態を説明する説明図である。
【図１０】針外し杆によって釣針を押す状態を説明する説明図である。
【符号の説明】
１    釣針外し具
２    針外し杆
３    握り柄
４    ガイド孔
５    開口部
６    ローラ
７    ローラ
８    ブラケット
１１    コイルバネ（弾性部材）
Ｌ    ハリス（釣糸）
Ｈ    釣針
Ｆ    魚体
【図１】
0003803452.tif 000002
【図２】
0003803452.tif 000003
【図３】
0003803452.tif 000004
【図４】
0003803452.tif 000005
【図５】
0003803452.tif 000006
【図６】
0003803452.tif 000007
【図７】
0003803452.tif 000008
【図８】
0003803452.tif 000009
【図９】
0003803452.tif 000010
【図１０】
0003803452.tif 000011